(57)【要約】【課題】  より利用上の制約を緩和したリモートコントロール装置を提供する。【解決手段】  変形可能なリモートコントロール装置であって、その形状あるいは形状の変化に基づいて、操作対象装置の制御コマンドを送出することを特徴とするリモートコントロール装置。特に形状の変化とは、折る動作または開く動作による変化を特徴とするリモートコントロール装置。また折るまたは開くときに生じる角度、およびまたは、リモコンに掛かる圧力を検出する手段を持ち、それに基づいてアナログ的な制御コマンドを送ることを特徴とするリモートコントロール装置。【選択図】      図１
2009141625.tif 000002
【特許請求の範囲】
【請求項１】
変形可能なリモートコントロール装置であって、
その形状あるいは形状の変化に基づいて、操作対象装置の制御コマンドを送出することを特徴とするリモートコントロール装置。
【請求項２】
前記形状の変化とは、折る動作または開く動作による変化を特徴とする請求項１に記載のリモートコントロール装置。
【請求項３】
前記リモートコントロール装置は折るまたは開くときに生じる角度、およびまたは、リモコンに掛かる圧力を検出する手段を持ち、それに基づいてアナログ的な制御コマンドを送ることを特徴とする請求項１または請求項２に記載のリモートコントロール装置。
【発明の詳細な説明】
【技術分野】
【０００１】
本発明は、リモートコントロール装置に係わり、特に変形可能なリモートコントロール装置に関する。
【背景技術】
【０００２】
リモートコントロール装置は対象機器を遠隔制御するために多様な形態のものがこれまで使われてきている。その中には変形可能なリモートコントロール装置も存する。
【０００３】
例えば特許文献１に記載のものは、リモートコントロール装置の弾性体で形成された操作部を前後、左右に屈曲させ、カセットプレイヤーのプレイ動作、テープの方向切り替え、停止等の制御をしている。リモートコントロール装置テイルの形状の変化にゴムの弾性を利用して、リモートコントロール装置内部の複数のタクトスイッチに２値の操作を及ぼす機構の技術が開示されている。
【０００４】
また特許文献２の請求項１に記載のものは、「外部より圧力を入力されることにより該圧力の入力位置についての位置情報と該圧力の入力量についての圧量情報とを検知しうる感圧センサと、該感圧センサで得られた上記の位置情報および圧量情報を無線により外部へ送信する無線送信部とをそなえて構成されていることを特徴とする、無線式入力装置。」というものである。ここで開示されている技術においては、従来型のリモコンに感圧センサーを用いてタッチパッドのように指で操作することにより、入力位置の位置情報と圧量情報を無線により操作対象のデバイスに送信している。
【０００５】
しかしながら、これらの技術においては２値の操作、入力位置の限定という利用上の制約があるという問題があった。
【特許文献１】特開２０００−１３４６７７号広報
【特許文献２】特開平１０−１７８６８８号広報
【発明の開示】
【発明が解決しようとする課題】
【０００６】
本発明は、より利用上の制約を緩和したリモートコントロール装置を提供することを目的とする。
【課題を解決するための手段】
【０００７】
上記課題を解決するために、本発明のリモートコントロール装置は、変形可能なリモートコントロール装置であって、その形状あるいは形状の変化に基づいて、操作対象装置の制御コマンドを送出することを特徴とする。
【発明の効果】
【０００８】
本発明によれば、より利用上の制約を緩和したリモートコントロール装置が得られる。
【発明を実施するための最良の形態】
【０００９】
以下、本発明の実施形態を説明する。
【実施例１】
【００１０】
本発明による実施形態１を図１乃至図４及び図７を参照して説明する。
〔変形型リモコンの外観図〕
図1は本発明による実施形態１の変形可能なリモートコントロール装置（以下、変形型リモコン）の外観を示す図である。変形型リモコンＲはCPU100、圧力の位置と量を検知することが可能な、薄膜感圧式圧力センサー 101、制御コマンドと圧力情報の割り当て表を格納している記憶部102、コマンド送信部103より構成される。変形型リモコンはユーザの折る、開くときに生じる圧力の位置・角度を薄膜感圧式圧力センサー101により検知し、その動作に割り当てられている制御コマンドを操作対象装置に無線で送信する。
【００１１】
薄膜感圧式圧力センサー101は、例えば導電ゴムを用いる。導電ゴムはゴム素材の中に導電性パーティクルを含み、圧力に対し抵抗値の大きな減少が見られるものである。例えば１００Ｎまでの圧力をかけていくと抵抗値は１００ｋΩ程度から１００Ω程度へと逓減する。図１の破線で示したｘ軸とｙ軸の夫々のセンス用に列電極や行電極を用いる。例えばｙ軸に平行に左右の端を折ると、対応する２つのｘ軸の列電極位置において抵抗値の減少がセンスできる。
【００１２】
〔変形型リモコンの操作例〕
図2は変形型リモコンＲの操作例である。折る、開く場所によって、圧力が生じる場所が異なるため、それぞれの場所に操作内容を割り当てることが可能である。折る、開くときに加わる圧力量とその変化量を検知することによって、早送り・巻き戻し、ボリュームアップ／ダウンなどの変化量を制御することも可能である。また、ディスプレイを持つ装置を操作する際には、ディスプレイのサイズの縦横の比率をリモコンの縦横の比率と同じように設定することも可能である。
【００１３】
例えば図2（ａ）はｘ軸において手前側を向こう側に折り返すことを表していてボリュームアップに対応している。ボリュームダウンは折り返しを元に戻すことによって操作指示となる。あるいは手前側または向こう側にさらに加速度センサー等を付け向こう側を手前側に折り返す操作を区別できるようにして、これをボリュームダウンとすることもできる。
【００１４】
また例えば図2（ｂ）は早送り・巻き戻しに同様に対応させ、図2（ｃ）はまた、ディスプレイを持つ装置を操作する際には、静止画面をめくり図2（ｄ）は逆方向に静止画面をめくるといった割り当てが可能である。変化が速い場合には早送り・巻き戻しをその分速く行えるようにするのも好適である。従来のリモコンでは同じボタンを何度も押すことによって段々と速くなるようになっているが、このようにすれば利用者は日常自分が好む速さに一度で、手加減により到達できるため利便性が増す。いわばアナログ的な制御コマンドを送ることに相当する。
【００１５】
また例えば図2ディスプレイのサイズの縦横の比率をリモコンの縦横の比率と同じように設定するには、ｙ軸に平行に左右の端を折る、ｘ軸に平行に上下の端を折る、または両方行い変形型リモコンＲをトレイのような形状にすることも可能である。
【００１６】
図2（ｃ）（ｄ）は、薄膜感圧式圧力センサー101の構成としてCPU100においてｘ軸とｙ軸でセンスされた抵抗値を基に連立方程式を用いて検知してもよいし、またｘｙ軸を４５度回転させたｕｖ軸にもｘｙ軸と同様に列電極や行電極を配列する構成としてもよい。
【００１７】
これらどの操作がどの制御に対応するかは、変形型リモコンＲ上にペイントしておいてもよく、またＯＳＤ（Ｏｎ  Ｓｃｒｅｅｎ  Ｄｉｓｐｌａｙ）によりディスプレイ上に表示してもよい。後者では、操作の流れの局面によって対応を変化させることも容易である。
【００１８】
〔変形型リモコンと操作対象装置のブロック図〕
図3は変形型リモコンと操作対象装置のブロック図である。薄膜感圧式圧力センサー101が変形型リモコンＲに加わった圧力の位置と量を感知し、その情報をCPU100に伝える。CPU100は記憶部102に確保している割り当て表から、その情報に割り当てられた制御コマンドを検索する。CPU100は該当する制御コマンドを送信部103から送信する。変形型リモコンＲから送信された制御コマンドはコマンド受信部112を介して、操作対象装置10に受信される。操作対象装置10はそのコマンドを解析して、デバイスの制御を行う。
【００１９】
〔変形型リモコンによる操作対象装置制御時のシーケンス図〕
図4は変形型リモコンの動作による操作対象装置制御時のシーケンス図である。
1. ユーザが変形型リモコンＲを折る、または、開くときに加わった圧力の位置・量を検知する。
2. 変形型リモコンＲは取得した圧力情報に割り付けられた制御コマンドを無線により、
操作対象装置10に対して、送信する。
3. 操作対象装置10で受信したコマンドに応じた操作を実行する。
図７は操作対象装置10として放送記録装置の構成の一例を示すブロック図である。
図７の放送記録装置１０は構成の一例として、チューナ等をソースとして記録機能を有するデジタルテレビジョンである。しかしながら、チューナ等と記録機能とをもったハードディスクレコーダも同様に好適である。
【００２０】
従って、以下の図７を用いた実施形態の説明においては、記録機能をもったデジタルテレビジョンとして詳細に説明を行なうが、図７からディスプレイ２６を分離することで、全く同様の機能をもったハードディスクレコーダとしての説明と解釈することが可能である。
【００２１】
図７において、デジタルテレビジョンである放送記録装置１０は、２種類のディスクドライブを有する。第1のメディアとしてハードディスクＨを駆動するハードディスクドライブ部１８と、第２のメディアとしてビデオファイルを構築できる情報記録媒体である光ディスクＤを回転駆動し、情報の読み書きを実行する光ディスクドライブ部１９を有している。又、制御部３０は、全体の動作を司るべくデータバスＢを介して各部に接続されている。しかし、本発明を実施する場合において、光ディスクドライブ部１９は必ずしも必要な構成ではない。
【００２２】
又、図７の放送記録装置１０は、録画側を構成するエンコーダ部２１と、再生側を構成するＭＰＥＧデコーダ部２３と、装置本体の動作を制御する制御部３０とを主たる構成要素としている。放送記録装置１０は、入力側のセレクタ１６と出力側のセレクタ１７とを有しており、入力側のセレクタ１６には、ＬＡＮ等の通信部１１と、いわゆる衛星放送（ＢＳ／ＣＳ）デジタル／アナログチューナ部１２と、いわゆる地上波デジタル／アナログチューナ部１３とが接続され、エンコーダ部２１に信号を出力する。又、ＢＳ／ＣＳデジタル／アナログチューナ部１２には衛星アンテナが、地上波デジタル／アナログチューナ部１３には地上波アンテナが接続されている。又、放送記録装置１０は、エンコーダ部２１と、エンコーダ部２１の出力を受け、データ編集等の所望のデータ処理を行う信号編集部２０、信号編集部２０に接続されるハードディスクドライブ部１８、光ディスクドライブ部１９を有している。更に、放送記録装置１０は、ハードディスクドライブ部１８、光ディスクドライブ部１９からの信号を受けてデコードするＭＰＥＧデコーダ部２３のバッファ部２２、多重化部２８、分離部２９、関連コンテンツ制御部４２、予約録画部・番組表生成部４３を有している。これらの各部は、データバスＢを介して制御部３０に接続されている。更に、セレクタ１７の出力は、ディスプレイ２６に供給されるか、外部装置との通信を行うインタフェース部２７を介して、外部装置に供給される。
【００２３】
更に、放送記録装置１０は、データバスＢを介して制御部３０に接続され、ユーザの操作やリモコンＲの操作を受ける操作部３２を有している。ここで、リモコンＲは、放送記録装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００２４】
制御部３０はCPU110に相当し記憶部111を含む。コマンド受信部112は操作部３２に含まれる。
本実施形態の効果として次のものがある。
・          リモコンの形状変化により、対象装置の操作が可能となった。
・          リモコンの操作を行う力加減に応じて、操作内容が変わるようになった。
【実施例２】
【００２５】
本発明による実施形態２を図１乃至図７を参照して説明する。実施形態１と共通する部分は説明を省略する。
図５は圧力センサーを２層にしたリモートコントロール装置の模式図である。判り易さのため厚さ方向を誇張して描いてある。図５で、表側の層Ｒａと裏側の層Ｒｂとは互いに圧力変化の影響を受け難く構成されている。そのために表側の層Ｒａと裏側の層Ｒｂとの間に緩衝材等を適宜挿入しておいても良い。
【００２６】
本実施形態においては、例えば表側を谷にして折ると表側の層Ｒａのみが抵抗値の大きな減少が期待でき、また逆に裏側を谷にして折ると裏側の層Ｒｂのみが抵抗値の大きな減少が期待できる。したがってどちら側を谷にして折るかによって別の動作を割り当てることができる。例えば実施形態１と同様に図２（ｂ）のアクションを割り当てる場合であれば加速度センサーを別途設けなくとも、表側を谷にして折ると早送りで裏側を谷にして折ると巻き戻しというアクションを指定することができる。
【００２７】
なお図６は、図７の放送記録装置の一般的なリモコン６４を示す図である。簡単に一般のテレビジョン受像機に共通なキー（ボタン）のみが載せられた構成を例示してある。
【００２８】
リモコン６４のキーがユーザによって押されるとリモコン６４内部の例えば図示せぬカーボン接点のスイッチが押され電池給電による増幅、コード化、赤外発光ダイオードによるコードの赤外線送信がテレビジョン受像機の受光部へ向けておこなわれる。対応して、受光部内の図示せぬフォトダイオードで受信した赤外線を電気信号へ変え増幅して搬送波を除きコードを得て制御部へ送る。
【００２９】
このコードは、リモコン６４のキーに対応したコードである。例えば３Byteのコードとなっており、１Byte目はメーカ、２Byte目は商品、３Byte目はキーに対応するデータとする。「８」と表示されたキーは８ｃｈ（チャンネル）を選局するためのキーであり、キーの押下げデータは例えば１６進表示で０８Ｈである。
【００３０】
このリモコン６４の機能の一部を変形型リモコンＲに埋め込み、複合的な言わばリモートコントロールスイッチ装置として構成してもよい。例えば各チャネルボタンをリモコン６４と同じような配置で圧力センサーの層に穴を開けて埋め込んでもよい。このときボタンは機械的なスイッチでもよいし、感圧センサー、圧電センサー、静電容量変化式のタッチセンサー等によるスイッチでもよい。
【００３１】
変形型リモコンＲは赤外線以外の例えば電磁波の範疇では、無線ＬＡＮやＵＷＢ、Ｂｌｕｅｔｏｏｔｈ等によって通信を行うような構成としてもよい。
以上の実施形態は概要として、折る動作、開く動作によって感圧式圧力センサーに検知された圧力をリモコンに搭載されている制御部で解析し、その圧力情報に割り当てられた操作コマンドを操作対象デバイスに送信するというものである。
【００３２】
上記実施形態により、従来のボタンの押下ではなく、リモコンの形の変化、また、ユーザの力加減によりデバイスの操作が可能となる。
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３３】
【図１】この発明の変形型リモコンの一実施形態を示す外観図。
【図２】同実施形態の変形型リモコンの操作例。
【図３】同実施形態の変形型リモコンと操作対象装置のブロック図。
【図４】同実施形態の変形型リモコンによる操作対象装置制御時のシーケンス図。
【図５】同他の形態に用いられる変形型リモコンを説明するために示す模式図。
【図６】図７の放送記録装置としてのテレビジョン受像機の一般的なリモコンを示す図。
【図７】本発明の実施形態に関連する放送記録装置の構成の一例を示すブロック図。
【符号の説明】
【００３４】
Ｒ…変形型リモコン
10…操作対象装置
100…CPU
101…薄膜感圧式圧力センサー
102…記憶部
103…コマンド送信部
110…CPU
111…記憶部
112…コマンド受信部
【図１】
2009141625.tif 000003
【図２】
2009141625.tif 000004
【図３】
2009141625.tif 000005
【図４】
2009141625.tif 000006
【図５】
2009141625.tif 000007
【図６】
2009141625.tif 000008
【図７】
2009141625.tif 000009